(57)【特許請求の範囲】
【請求項１】
機器本体と遠隔操作体とから成り、前記機器本体には加熱部と、この加熱部による加熱の開始・停止及び火力の増減を制御する本体制御部と、この本体制御部に接続され前記遠隔操作体からの信号を受信すると共に機器本体からの信号を前記遠隔操作体に送信する本体送受信部を設け、前記遠隔操作体には前記本体送受信部との間で信号の送受信を行う操作体送受信部と、加熱の開始・停止及び火力の増減の指令操作を行う遠隔操作部と、この遠隔操作部からの操作指令を前記操作体送受信部に送る操作体制御部を設け、前記機器本体と前記遠隔操作体の少なくとも一方には、前記本体送受信部と前記操作体送受信部間の信号の受信強度を検出する信号レベル検知部を設け、前記信号レベル検知部が検出した受信強度に応じて、前記操作体制御部が受け付ける操作指令項目を制限するようにしたことを特徴とする加熱調理器。
【請求項２】
機器本体と遠隔操作体とから成り、前記機器本体には加熱部と、この加熱部による加熱の開始・停止及び火力の増減を制御する本体制御部と、この本体制御部に接続され前記遠隔操作体からの信号を受信すると共に機器本体からの信号を前記遠隔操作体に送信する本体送受信部を設け、前記遠隔操作体には前記本体送受信部との間で信号の送受信を行う操作体送受信部と、加熱の開始・停止及び火力の増減の指令操作を行う遠隔操作部と、この遠隔操作部からの操作指令を前記操作体送受信部に送る操作体制御部を設け、前記機器本体と前記遠隔操作体の少なくとも一方には、前記本体送受信部と前記操作体送受信部間の信号の受信強度を検出する信号レベル検知部を設け、前記信号レベル検知部が検出した受信強度に応じて、前記本体制御部が受け付ける加熱操作項目を制限するようにしたことを特徴とする加熱調理器。
【請求項３】
操作体制御部は、信号レベル検知部が検出した受信強度が所定のレベルより強い場合は全操作指令項目を受け付け可能とし、前記信号レベル検知部が検知した受信強度が前記所定のレベルより弱い場合は火力増の操作指令項目を受け付けないようにした請求項１に記載の加熱調理器。
【請求項４】
本体制御部は、信号レベル検知部が検出した受信強度が所定のレベルより強い場合は全加熱操作項目を受け付け可能とし、前記信号レベル検知部が検知した受信強度が前記所定のレベルより弱い場合は火力増の加熱操作項目を受け付けないようにした請求項２に記載の加熱調理器。
【請求項５】
本体制御部は、信号レベル検知部が検出した受信強度が所定の閾値以下となった際に、加熱部による加熱を停止することを特徴とする請求項１から請求項４のいずれか１つに記載の加熱調理器。
【請求項６】
本体制御部は、信号レベル検知部が検出した受信強度が所定の閾値以下となった状態が所定の時間続いた時に、加熱部による加熱を停止することを特徴とする請求項１から請求項４のいずれか１つに記載の加熱調理器。
【請求項７】
本体制御部は、信号レベル検知部が検出した受信強度が所定の閾値以下となった状態が所定の時間の間に所定の回数発生した時に、加熱部による加熱を停止することを特徴とする請求項１から請求項４のいずれか１つに記載の加熱調理器。
【請求項８】
操作体制御部に接続される遠隔報知部を設け、この遠隔報知部は信号レベル検知部が検出した受信強度が所定の閾値以下となった時に圏外報知を行うことを特徴とする請求項１から請求項７のいずれか１つに記載の加熱調理器。
【請求項９】
遠隔報知部は、圏外報知後に信号レベル検知部が検出した受信強度が所定の閾値以上となった時に圏内報知を行うことを特徴とする請求項８に記載の加熱調理器。
【請求項１０】
操作体制御部に接続される遠隔報知部を設け、この遠隔報知部は信号レベル検知部が検出した受信強度のレベル、加熱部による加熱温度、遠隔操作部の操作による火力レベルのうち、少なくとも１つ以上を表示する表示部を有することを特徴とする請求項１から請求項７のいずれか１つに記載の加熱調理器。
【請求項１１】
本体制御部は、揚げ物調理時に信号レベル検知部が検出した受信強度が所定のレベル以下となった際に、加熱部による加熱を停止することを特徴とする請求項１から請求項４のいずれか１つに記載の加熱調理器。
【発明の詳細な説明】
【技術分野】
【０００１】
この発明は機器本体を遠隔操作可能な加熱調理器に関するものである。
【背景技術】
【０００２】
近年、機器本体から離れていても、機器本体の操作が可能な遠隔操作部（リモコン装置）を有する加熱調理器が増えてきている。そのような加熱調理器において、調理の不具合を無くし使用者が安心して機器本体から離れられるようにするために、機器本体から離れていても機器本体の温度状態等を把握できるようにしたものがある。
例えば、機器本体の加熱状態を表示する状態表示部を設け、使用者は状態表示部に表示される加熱状態の情報により安全に加熱制御が行えるようにしたり、被加熱対象物の温度情報を監視する加熱監視部を設け、その情報を遠隔操作部に表示して、使用者は遠隔操作部に表示される情報を見ながら加熱制御を行えるようにしたものがある。（特許文献１参照）
【０００３】
また、リモコン装置から機器本体に送信したリモコン信号が機器本体に確実に届いたかを確認するために、機器本体がリモコン信号を受け取った時に、リモコン装置へ応答信号を発するようにすると共に、リモコン信号或いは応答信号の強度を検知するレベル検知部を設けて、機器本体とリモコン装置との距離や、リモコン装置の電池消耗度合いを判別するようにしたものがある。（特許文献２参照）
【０００４】
【特許文献１】特開２００５−１７４７８９号公報
【特許文献２】特開２００４−１６５０８１号公報
【発明の開示】
【発明が解決しようとする課題】
【０００５】
特許文献１では遠隔操作部が機器本体からの情報の受信圏外であると、使用者が鍋の温度情報等を把握する事ができない状態のまま、鍋の加熱を続けてしまい、調理の不具合が生じてしまう事がある。
特許文献２では周囲の騒音が大きい場合には応答信号にも気づかない事もある。それにより、使用者がリモコン装置をポケットに入れている等して、誤って操作してしまった場合、使用者が遠くにいればいるほど、誤操作に気づくまでに時間がかかってしまう。また、この誤操作の時、火力減操作であれば良いが火力増操作を誤って行ってしまった場合、調理の不具合が生じてしまう事がある。
さらに特許文献２では信号強度により機器本体とリモコン装置との距離が近いと判断した時は、リモコン装置からの送信電力を下げて電池の消耗を抑えたり、また信号強度が弱い場合はリモコン装置の電池を交換するだけで、信号強度に応じて加熱状態を制御しておらず、受信圏外などの信号強度が弱いまま放置しておくと上記したような調理上の不具合が生じてしまう。
【０００６】
この発明はこのような従来の課題を解決するもので、機器本体と遠隔操作体間の信号の受信強度に応じて、操作指令項目あるいは加熱操作項目を制限することにより、調理の不具合が生じないようにした加熱調理器を提供することを目的とするものである。
【課題を解決するための手段】
【０００７】
この発明の加熱調理器は、機器本体と遠隔操作体とから成り、機器本体には加熱部と、この加熱部による加熱の開始・停止及び火力の増減を制御する本体制御部と、この本体制御部に接続され遠隔操作体からの信号を受信すると共に機器本体からの信号を遠隔操作体
に送信する本体送受信部を設け、遠隔操作体には本体送受信部との間で信号の送受信を行う操作体送受信部と、加熱の開始・停止及び火力の増減の指令操作を行う遠隔操作部と、この遠隔操作部からの操作指令を操作体送受信部に送る操作体制御部を設け、機器本体と遠隔操作体の少なくとも一方には、本体送受信部と操作体送受信部間の信号の受信強度を検出する信号レベル検知部を設け、信号レベル検知部が検出した受信強度に応じて、操作体制御部が受け付ける操作指令項目を制限するようにしたものである。
【０００８】
また、この発明の加熱調理器は、機器本体と遠隔操作体とから成り、機器本体には加熱部と、この加熱部による加熱の開始・停止及び火力の増減を制御する本体制御部と、この本体制御部に接続され遠隔操作体からの信号を受信すると共に機器本体からの信号を遠隔操作体に送信する本体送受信部を設け、遠隔操作体には本体送受信部との間で信号の送受信を行う操作体送受信部と、加熱の開始・停止及び火力の増減の指令操作を行う遠隔操作部と、この遠隔操作部からの操作指令を操作体送受信部に送る操作体制御部を設け、機器本体と遠隔操作体の少なくとも一方には、本体送受信部と操作体送受信部間の信号の受信強度を検出する信号レベル検知部を設け、信号レベル検知部が検出した受信強度に応じて、本体制御部が受け付ける加熱操作項目を制限するようにしたものである。
【発明の効果】
【０００９】
使用者が機器本体から離れ、機器本体と遠隔操作体間の信号の受信強度が所定の閾値以下となるような受信圏外になると、自動的に機器本体の加熱を停止したり、また、使用者が機器本体から遠くなり、機器本体と遠隔操作体間の信号の受信強度が所定値以下となると、火力増操作を受け付けないように、受信強度に応じて操作指令項目あるいは加熱操作項目を制限するようにしているから、使用者が鍋の温度情報等を把握できないままの加熱や火力増誤操作が発生する事がなくなる。そのため、調理の不具合が発生しにくくなるため、使用者は安心して機器本体から離れる事ができるようになる。
【発明を実施するための最良の形態】
【００１０】
実施の形態１．
以下、この発明の実施の形態１における加熱調理器について、図面を参照しながら説明する。図１はこの発明の実施の形態１における全体構成図、図２は実施の形態１に使用される遠隔操作体の正面図である。
図１において、この発明の加熱調理器は、機器本体１と使用者が機器本体１から離れて操作する遠隔操作体（通称はリモコン装置）２とで構成されている。機器本体１は、鍋などの被加熱対象物を誘導加熱するための誘導加熱コイルや電熱ヒーターなどの加熱部３と、加熱部３における加熱の開始・停止と火力の増減を制御する本体制御部４と、本体制御部４に接続され遠隔操作体２からの信号を受信すると共に機器本体１からの信号を遠隔操作体２に送信する本体送受信部５とを有している。また機器本体の電源スイッチ、機器本体から直接操作できる加熱の開始・停止ボタン、火力の増減を行う増減ボタンおよび揚げ物を調理する時の操作ボタンなどの操作部６と、操作部６による操作状態および鍋などの温度情報を表示する表示部７を有している。なお本体制御部４は本体送受信部５が受信した操作指令項目情報を基に加熱部３を制御し、加熱部３で加熱される鍋などの温度情報および火力レベル情報を本体送受信部５に送る制御も行っている。
【００１１】
また遠隔操作体２は、本体送受信部５との間で信号の送受信を行う操作体送受信部８と、加熱の開始・停止及び火力の増減の指令操作を使用者が行う遠隔操作部９と、遠隔操作部９からの操作指令を操作体送受信部８に送る操作体制御部１０と、操作体制御部１０に接続され液晶表示部やブザーなどの音声報知部で構成された報知部１１と、遠隔操作体２に内臓された上記の各構成要素に電気エネルギーを供給する電池１２とを有している。操作体制御部１０は、機器本体１から本体送受信部５と操作体送受信部８を介して送信される各種情報を入力して報知部９に報知するための制御、および遠隔操作部９で行なった操
作情報を報知部１１に報知するための制御も行っている。
【００１２】
更に、この発明の加熱調理器は、機器本体１および遠隔操作体２に、本体送受信部５と操作体送受信部８との間の信号の受信強度を検出する信号レベル検知部１３ａ、１３ｂを設けている。この信号レベル検知部１３ａ、１３ｂは、機器本体１あるいは遠隔操作体２から各情報を送信または受信する際と電源スイッチをオンした時に発信される信号を送受信する際に信号の受信強度レベルを検出する。機器本体１側の信号レベル検知部１３ａで検出された信号の受信強度レベルは本体制御部４に、遠隔操作体２側の信号レベル検知部１３ｂで検出された信号の受信強度レベルは操作体制御部１０にそれぞれ送られるようになっている。また本体制御部４に送られた受信強度レベルは本体送受信部５、操作体送受信部８を介して操作体制御部１０にも送られるようになっている。操作体制御部１０は受信強度レベルの情報を受信すると、報知部１１の後述する信号強度レベル表示部に表示される信号の受信強度レベルを更新するようになっている。
【００１３】
なおこの実施形態では信号レベル検知部１３ａ、１３ｂは機器本体１と遠隔操作体２の両方に設けているが、これは本体送受信部５と操作体送受信部８との間の信号の受信強度を確実に検出するためであって、機器本体１または遠隔操作体２のどちらか一方に設けてもよい。
以上の構成により、機器本体１の本体送受信部５と遠隔操作体２の操作体送受信部８は、操作指令項目情報や火力レベル情報、鍋の温度情報、本体送受信部５と操作体送受信部８間の信号の受信強度レベル等の信号を電波や赤外線などで通信する。
【００１４】
次にこの発明における遠隔操作体２に使用される遠隔操作部９と報知部１１について図２に基づいて説明する。
図２において、遠隔操作体２は使用者が持ち運び出来るよう小さくてほぼ四角形をしており、遠隔操作部９と報知部１１をその表面に有している。遠隔操作部９は複数の遠隔操作ボタン９１〜９４からなり、加熱開始ボタン９１は使用者が加熱を開始する際に押す。加熱停止ボタン９２は使用者が加熱を停止する際に押す。火力増ボタン９３は使用者が火力を増加させる際に押す。火力減ボタン９４は使用者が火力を減少させる際に押す。この火力増ボタン９３および火力減ボタン９４は押す回数によってその火力レベルが増減される。この実施形態では火力レベルは１〜９の９段階としており、加熱を開始した際は中間の火力レベル５から加熱を開始する。なお以下の説明では、加熱開始ボタン９１、加熱停止ボタン９２、火力増ボタン９３、火力減ボタン９４を総称して説明する時は遠隔操作ボタンと称す。
【００１５】
報知部１１は液晶表示部１１Ａとブザーなどの音声報知部１１Ｂからなり、液晶表示部１１Ａは鍋温度表示部１1ａと信号強度レベル表示部１１ｂと火力レベル表示部１１ｃを
有する。鍋温度表示部１１ａは本体制御部４から送信された鍋温度情報を表示する。この実施形態では鍋温度を３桁の数字で表している。信号強度レベル表示部１１ｂは信号レベル検知部１３ａまたは１３ｂから送信された１〜４の４段階の信号の受信強度レベルを表示する。この実施形態では信号の受信強度レベルが増えるにつれて表示する棒の数を増やし、受信圏外の時は圏外と表示している。火力レベル表示部１１ｃは操作体制御部１０または本体制御部４から送信された火力レベル情報を表示する。この実施形態では、加熱停止中は火力レベル表示無しとし、加熱中は火力レベルである１〜９の数字を表示している。
音声報知部１１Ｂは、遠隔操作部９の各遠隔操作ボタン９１〜９４が操作された時、即ち、加熱を開始した時、火力が増減された時、加熱を停止した時に、使用者がそれをブザーなどの音で確認できるようにするものである。また遠隔操作部９の各遠隔操作ボタン９１〜９４を操作しても、操作指令項目が制限された時もこの音声報知部１１Ｂで使用者に報知する。
当然の事ながら遠隔操作ボタン９１〜９４の種類と液晶表示部１１Ａに表示する内容は、この実施形態に記載しているもの以外があってもよい。
【００１６】
ここで、この発明の加熱調理器における加熱の制御方法および信号の送受方法についてはすでに知られているものなので簡単に説明する。使用者が電源スイッチを入れ、遠隔操作部９で操作した操作指令項目や火力レベルの情報は操作体制御部１０から操作体送受信部８へ送られる。操作体送受信部８から本体送受信部５へは電波または赤外線でその情報が送信され、本体送受信部５が受信した操作指令項目および火力レベルの情報を基に、本体制御部４は加熱部３を制御する。また、本体制御部４は火力レベル情報や鍋の温度情報等を本体送受信部５に送る。本体制御部４は、信号レベル検知部１３ａで検出した本体送受信部５と操作体送受信部８間の信号の受信強度レベル情報も本体送受信部５に送信する。
【００１７】
本体送受信部５は火力レベル情報や鍋の温度情報、受信強度レベル情報などの各情報を操作体送受信部８へ電波または赤外線で送信し、操作体送受信部８はその情報を操作体制御部１０に送る。一方、信号レベル検知部１３ｂで検出した本体送受信部５と操作体送受信部８間の信号の受信強度レベル情報も操作体制御部１０に送られている。操作体制御部１０は受信したこれら情報に基づいて報知部１１に報知する。報知部１１では、加熱部３で加熱される鍋の温度情報は鍋温度表示部１1ａに、遠隔操作部９で行なった火力レベル
情報は火力レベル表示部１１ｃに、本体送受信部５と操作体送受信部８間の受信強度レベル情報は信号強度レベル表示部１１ｂに表示する。また遠隔操作部９による各操作が行なわれた時、更には後述する信号強度レベル情報に応じた操作指令項目や加熱操作項目の制限が生じた時に、音声報知部１１Ｂでブザー音の鳴動を行う。こうして使用者は図２に示す報知部１１の表示または報知により加熱制御状態あるいは信号強度レベル等を知ることができる。
【００１８】
次に、この実施の形態１における信号レベル検知部１３ａまたは１３ｂが検出した本体送受信部５と操作体送受信部８間の信号の受信強度レベルと、操作体制御部１０が受け付ける操作指令可能項目の関係について説明する。表１は信号の受信強度レベルに応じて、操作体制御部１０が受け付ける操作指令項目が制限される一例を示したものである。
【００１９】
【表１】
0004902492.tif 000002
【００２０】
以下、表１に基づき、使用者の加熱操作の流れを説明する。
まず、使用者が機器本体１の操作部６の電源スイッチを押すと、電源が入ったことを遠隔操作体２に通知するために確認信号が本体制御部４から本体送受信部５を介して操作体送受信部８に送信される。操作体送受信部８で受信した確認信号の信号強度は信号レベル検知部１３ｂで検出され、本体送受信部５と操作体送受信部８間の信号の受信強度レベルが検出される。信号レベル検知部１３ｂで検出された信号強度レベルの情報は操作体制御部１０に送られる。
また遠隔操作体２の遠隔操作部９にある電源スイッチを押した場合でも、前記と同様に遠隔操作体２から機器本体１側に電源ランプなどを点灯する等の確認信号が送信され、機器本体１側の信号レベル検知部１３ａで、本体送受信部５と操作体送受信部８間の信号の受信強度レベルが検出される。信号レベル検知部１３ａで検出した受信強度レベルの情報は、本体制御部４から本体送受信部５、操作体送受信部８を介して操作体制御部１０に送られる。
【００２１】
このような状態で、使用者が遠隔操作部９の加熱開始ボタン９１を押した際の流れを説明する。使用者が加熱開始ボタン９１を押した時、信号の受信強度レベルが２以下であると、操作体制御部１０はこの加熱開始の操作項目を受け付けず、操作体制御部１０から操作体送受信部８に加熱開始の操作指令が送られない。したがって機器本体１側の本体送受信部５には加熱開始の操作指令が届かないので、本体制御部４は加熱開始を行う制御は行わない。また遠隔報知部１１は、操作体制御部１０から信号の受信強度レベルが所定のレベルより弱いため加熱開始の操作項目を受け付けないという信号を受けると、加熱開始の操作指令項目が制限されたことを音声報知部１１Ｂのブザーなどで使用者に報知する。
【００２２】
使用者が遠隔操作部９の加熱開始ボタン９１を押した時、信号の受信強度レベルが３以上であると、操作体制御部１０は加熱開始の操作指令を操作体送受信部８に送り、操作体送受信部８は加熱開始の操作指令の情報を本体送受信部５に電波または赤外線で送信する。本体送受信部５で受信した加熱開始の操作指令の情報は本体制御部４に送られ、本体制御部４はその操作指令情報に基づき加熱部３を制御し、加熱部３による加熱開始を行う。
また本体制御部４は加熱を開始したことの情報を本体送受信部５、操作体送受信部８を介して操作体制御部１０に送り、操作体制御部１０はその情報を受信すると、遠隔報知部１１の火力レベル表示部１１ｃに火力レベルを表示させる。同時に、音声報知部１１Ｂで加熱を開始したことをブザーなどで使用者に報知する。
【００２３】
加熱が開始された後は、本体制御部４は加熱部３による鍋などの温度情報及び信号レベル検知部１３ａで検出した信号強度レベルの情報を本体送受信部５、操作体送受信部８を介して遠隔操作体２の操作体制御部１０に送信している。一方、遠隔操作体２の信号レベル検知部１３ｂも上記した各情報の送受信の際に、本体送受信部５と操作体送受信部８間の信号強度レベルを検出し、その情報を操作体制御部１０に送っている。操作体制御部１０はこれらの情報を受けて、遠隔報知部１１の鍋温度表示部１1ａには温度情報を数値で
表示し、信号強度レベル表示部１１ｂには信号強度レベルを棒の数で表示する。これらの数値あるいは棒の数は情報の送受信の度に更新される。
【００２４】
次に使用者が遠隔操作部９の火力増ボタン９３を押した際の流れを説明する。加熱中に使用者が火力増ボタン９３を押した時、信号の受信強度レベルが３以下であると、操作制御部１０はこの火力増の操作指令項目を受け付けず、操作体制御部１０から操作体送受信部８に火力増の操作指令が送られない。したがって機器本体１側の本体送受信部５にはこの火力増の操作指令が届かないので、本体制御部４は火力増の制御は行わない。また遠隔報知部１１は、操作体制御部１０から信号の受信強度レベルが所定のレベルより弱いため火力増の操作指令項目を受け付けないという信号を受けると、火力増の操作指令項目が制限されたことを音声報知部１１Ｂのブザーなどで使用者に報知する。
【００２５】
加熱中に使用者が火力増ボタン９３を押した時、信号の受信強度レベルが４以上であると、操作制御部１０は火力増の操作指令を操作体送受信部８に送り、操作体送受信部８は火力増の操作指令の情報を本体送受信部５に電波または赤外線で送信する。本体送受信部５で受信した火力増の操作指令の情報は本体制御部４に送られ、本体制御部４はその火力増の操作指令情報に基づき加熱部３を制御し、加熱部３による火力を増加させる。
また本体制御部４は火力を増加したことの情報を本体送受信部５、操作体送受信部８を
介して操作体制御部１０に送り、操作体制御部１０はその情報を受信すると、遠隔報知部１１の火力レベル表示部１１ｃに火力レベルを表示させる。同時に、音声報知部１１Ｂで火力が増加したことをブザーなどで使用者に報知する。
【００２６】
次に使用者が遠隔操作部９の火力減ボタン９４を押した際の流れを説明する。加熱中に使用者が火力減ボタン９４を押すと、信号の受信強度レベルが１〜４の間では、操作体制御部１０は火力減の操作指令を操作体送受信部８に送り、操作体送受信部８は火力減の操作指令の情報を本体送受信部５に電波または赤外線で送信する。本体送受信部５で受信した火力減の操作指令の情報は本体制御部４に送られ、本体制御部４はその火力減の操作指令情報に基づき加熱部３を制御し、加熱部３による火力を減少させる。
また本体制御部４は火力を減少したことの情報を本体送受信部５、操作体送受信部８を介して操作体制御部１０に送り、操作体制御部１０はその情報を受信すると、遠隔報知部１１の火力レベル表示部１１ｃに火力レベルを表示させる。同時に、音声報知部１１Ｂで火力が減少したことをブザーなどで使用者に報知する。
【００２７】
次に使用者が遠隔操作部９の加熱停止ボタン９２を押した際の流れを説明する。加熱中に使用者が加熱停止ボタン９２を押すと、信号の受信強度レベルが１〜４の間では、操作体制御部１０は加熱停止の操作指令を操作体送受信部８に送り、操作体送受信部８は加熱停止の操作指令の情報を本体送受信部５に電波または赤外線で送信する。本体送受信部５で受信した加熱停止の操作指令の情報は本体制御部４に送られ、本体制御部４はその操作指令情報に基づき加熱部３を制御し、加熱部３による加熱を停止させる。
また本体制御部４は加熱を停止したことの情報を本体送受信部５、操作体送受信部８を介して操作体制御部１０に送り、操作体制御部１０はその情報を受信すると、遠隔報知部１１の火力レベル表示部１１ｃは火力レベルの表示が消える。同時に、音声報知部１１Ｂで加熱が停止したことをブザーなどで使用者に報知する。
【００２８】
次に加熱中に使用者が機器本体１から離れた際の流れを説明する。遠隔操作体２を持った使用者が機器本体１から離れ、信号の受信強度レベルが１となった場合、操作体制御部１０は報知部１１の音声報知部１１Ｂに受信圏外間際であることを報知させる。
使用者が機器本体１から更に離れ、信号の受信強度レベルが１よりも弱い受信圏外となると、本体制御部４は加熱部３を制御し、加熱を停止する。また、操作体制御部１０は、本体制御部４から受信圏外となり加熱を停止したことの情報を本体送受信部５、操作体送受信部８を介して受信する。操作体制御部１０はその受信した情報を基に報知部１１に受信圏外となり加熱を停止したことを報知する。なお機器本体１と遠隔操作体２とが遠くに離れて機器本体１から遠隔操作体２に加熱を停止したことの情報が届かない場合も考えられるが、この場合は、操作体制御部１０は信号レベル検知部１３ｂからの受信強度レベルにより受信圏外ということを知ることが出来、これにより報知部１１に受信圏外を報知する。報知部１１が受信圏外であるという信号を受けると、液晶表示部１１Ａでは、信号強度レベル表示部１１ｂに「受信圏外」という表示を行うと共に、火力レベル表示部１１ｃの表示を消す。音声報知部１１Ｂではブザーなどの報知により使用者に報知する。
【００２９】
次に操作圏内報知について説明する。遠隔操作体２が一度受信圏外になった後、使用者が機器本体１に近づいて受信強度レベルが３以上になって再度受信圏内になると、受信圏内になったことを操作体制御部１０は報知部１１の液晶表示部１１Ａと音声報知部１１Ｂの報知により、使用者に報知する。例えば、信号強度レベル表示部１１ｂの表示は棒の数が３本以上となり、音声報知部１１Ｂからはブザーが報知される。使用者はこの報知により、受信圏外となって一旦停止された加熱を、遠隔操作部９の加熱開始ボタン９１を押すことにより再度加熱を開始することができる。
【００３０】
次に機器本体１の安全機能について説明する。加熱中に機器本体１内部の状態が高温等
の異常状態となる、あるいは鍋温度が高温の異常温度となった場合に、本体制御部４は自動的に火力を減少させる、あるいは加熱を停止させる。その際、本体制御部４は本体送受信部５、操作体送受信部８を介して、操作体制御部１０に火力を減少したことあるいは加熱を停止したことの情報を送信する。操作体制御部１０は遠隔報知部１１の液晶表示部１１Ａの表示と音声報知部１１Ｂによる報知によって使用者にそれを知らせる。
【００３１】
次に揚げ物調理時について説明する。最近の加熱調理器には揚げ物調理をする時は温度管理が重要なため専用の操作ボタンが付属している。揚げ物調理時はこの専用ボタンを押して調理を行う。揚げ物調理時に鍋内の油が高温となり、油はね等も発生する可能性があるため、使用者が機器本体１から離れると調理の不具合等が発生しやすい。そのため、使用者が機器本体１から離れ、信号の受信強度レベルがあらかじめ定めた値（通常調理時の制限レベルである３以下よりも弱い例えば２）以下となると、本体制御部４は加熱部３を制御して、加熱を停止するようにする。また、揚げ物調理時の鍋内の温度の予熱時は通常の動作と同じとなる。
【００３２】
次に遠隔操作体２に使用される電池１２の残量の影響を説明する。遠隔操作体１の電池残量が少なくなると操作体送受信部８が送信する信号の強度が弱くなってしまう。そのため、使用者が遠隔操作体２を持って機器本体１から離れると本体送受信部５が受信しにくくなる。また遠隔操作体１の電池残量が少なくなると操作体送受信部８が信号を受信しにくくなる事が考えられる。そのため、鍋の温度情報等が把握できなくなる、遠隔操作が効かなくなる可能性がある。
しかし、この発明の加熱調理器は遠隔操作体１の電池残量が少なくなると、信号レベル検知部１３ａ、１３ｂが検知する信号の受信強度レベルが低くなり、上記で説明したような圏外報知や加熱自動停止動作、操作指令項目の制限動作が、機器本体１と遠隔操作体２の距離が近くても発生する。そのため、電池残量が少なくなり、本体送受信部５が信号を受信できない、あるいは操作体送受信部８が信号を受信できないといった状態となる前に、圏外報知や加熱自動停止動作、操作指令項目の制限動作が働くことになるので、調理の不具合は発生しにくい。
【００３３】
以上のようにこの発明の実施の形態１では、信号の受信強度レベルが４以上であれば、操作体制御部１０が受け付ける操作指令項目を全項目とし、信号の受信強度レベルが３以下であれば、操作体制御部１０が受け付ける操作指令項目を制限している。この受信強度レベルが４以上または３以下とするのは一例であって、要するに受信強度レベルが所定のレベルより強い場合は全操作指令項目を受け付け可能とし、受信強度が所定のレベルより弱い場合は操作指令項目の一部を受け付けないよう制限するようにすればよい。
また、信号の受信強度レベルが１よりも弱くなった場合に受信圏外と報知したり、本体制御部４は加熱部３による加熱を停止するようにしている。この受信強度レベルが１よりも弱い場合も一例であって、要するに受信強度レベルが前記した制限時の所定のレベルよりも弱い所定の閾値以下の場合に、操作体制御部１０は遠隔報知部１１に圏外表示あるいはブザー鳴動させ、使用者に圏外を報知する。あるいは受信強度レベルが所定の閾値以下の場合に、本体制御部４は加熱部３による加熱を停止するようにすればよい。
また、揚げ物調理時おいて、信号の受信強度レベルがあらかじめ定めた値以下になると加熱を停止する。
【００３４】
この発明は以上のように構成することにより、調理の不具合につながるような使用者が鍋の温度情報等を把握できないままの加熱がなくなったり、調理の不具合につながるような火力増誤操作が発生する事がなくなる。また、受信圏外になれば使用者が受信圏外であることを知ることができ、また加熱を停止する。さらに受信圏外になった後、使用者が再度受信圏内に入れば遠隔操作可能になった事を知ることができる。こうして、使用者は安心して機器本体から離れる事ができるようになる。
【００３５】
実施の形態２．
次にこの発明の実施の形態２における加熱調理器について説明する。実施の形態２における構成は実施の形態１と同じにつき、これらの図１および図２を用いて説明する。
実施の形態１では、使用者が遠隔操作ボタン９１〜９４を押した際、操作体制御部１０が信号の受信強度レベルに応じて操作指令項目を制限し、それを液晶表示部１１Ａの表示と音声報知部１１Ｂからの報知によって、使用者に報知していたが、実施の形態２では、操作体制御部１０は遠隔操作ボタン９１〜９４が押されたことを、操作体送受信部８、本体送受信部５を介して本体制御部４へ送信するようにしている。本体制御部４は操作指令項目を受信する際、受信強度レベルに応じて操作指令を受け付けるか、制限するかを判断し、操作指令項目に対応する加熱操作項目を制限するようにしたものである。
【００３６】
以下、実施の形態２における加熱操作の流れを説明する。信号の受信強度レベルに応じて、本体制御部４が受け付ける加熱操作項目が制限される例は表１と同じとする。
使用者が遠隔操作部９の加熱開始ボタン９１を押した際の流れを説明する。使用者が加熱開始ボタン９１を押すと、操作体制御部１０はこの加熱開始の操作指令項目を操作体送受信部８、本体送受信部５を介して本体制御部４に送る。一方本体制御部４は、信号レベル検知部１３ａで検出した信号の受信強度レベルあるいは遠隔操作体２から送られる受信強度レベルが２以下であると、遠隔操作体２から送られた操作指令項目に対応する加熱開始の加熱操作項目を受け付けない。したがって本体制御部４は加熱開始を行う制御は行わない。
また本体制御部４は、加熱開始の加熱操作項目を受け付けない場合、本体送受信部５、操作体送受信部８を介して操作体制御部１０へ加熱操作項目を受け付けなかったことを送信する。操作体制御部１０は、遠隔報知部１１に対して信号の受信強度レベルが所定のレベルより弱いため加熱開始の加熱操作項目を受け付けないという信号を送り、遠隔報知部１１は加熱開始の加熱操作項目が制限されたことを音声報知部１１Ｂのブザーなどで使用者に報知する。
【００３７】
使用者が遠隔操作部９の加熱開始ボタン９１を押して、本体制御部４に加熱開始の操作指令情報が送られた際に、本体制御部４は信号の受信強度レベルが３以上であると、その加熱開始の操作指令情報に基づき加熱部３を制御し、加熱部３による加熱開始を行う。
また本体制御部４は加熱を開始したことの情報を本体送受信部５、操作体送受信部８を介して操作体制御部１０に送り、操作体制御部１０はその情報を受信すると、遠隔報知部１１の火力レベル表示部１１ｃに火力レベルを表示させる。同時に、音声報知部１１Ｂで加熱を開始したことをブザーなどで使用者に報知する。
【００３８】
次に使用者が遠隔操作部９の火力増ボタン９３を押した際の流れを説明する。加熱中に使用者が火力増ボタン９３を押すと、操作体制御部１０はこの火力増の操作指令項目を操作体送受信部８、本体送受信部５を介して本体制御部４に送る。一方本体制御部４は、信号レベル検知部１３ａで検出した信号の受信強度レベルあるいは遠隔操作体２から送られる受信強度レベルが３以下であると、遠隔操作体２から送られた火力増の操作指令項目に対応する火力増の加熱操作項目を受け付けない。したがって本体制御部４は火力増を行う制御は行わない。
また本体制御部４は、火力増の操作項目を受け付けない場合、本体送受信部５、操作体送受信部８を介して操作体制御部１０へ火力増の操作項目を受け付けなかったことを送信する。操作体制御部１０は、遠隔報知部１１に対して信号の受信強度レベルが所定のレベルより弱いため火力増の操作項目を受け付けないという信号を送り、遠隔報知部１１は火力増の加熱操作項目が制限されたことを液晶表示部１１Ａおよび音声報知部１１Ｂのブザーなどで使用者に報知する。
【００３９】
加熱中に使用者が火力増ボタン９３を押して、本体制御部４に火力増の操作指令情報が送られた際に、本体制御部４は信号の受信強度レベルが４以上であると、その火力増の操作指令情報に基づき加熱部３を制御し、加熱部３による火力を増加させる。
また本体制御部４は、火力を増加したことの情報を本体送受信部５、操作体送受信部８を介して操作体制御部１０に送り、操作体制御部１０はその情報を受信すると、遠隔報知部１１の火力レベル表示部１１ｃに火力レベルを表示させる。同時に、音声報知部１１Ｂで火力が増加したことをブザーなどで使用者に報知する。
【００４０】
使用者が火力減ボタン９４押した際と加熱停止ボタン９２を押した際の流れは実施の形態１と同じにつき説明は省略する。
また、加熱中に遠隔操作体２を持った使用者が機器本体１から離れ、信号の受信強度レベルが１よりも弱い受信圏外となると、遠隔報知部１１で受信圏外という報知を行うこと、また本体制御部４は加熱部３を制御して加熱を停止すること、さらに遠隔操作体２が一度受信圏外になった後に、使用者が本体機器１に近づいて再度受信圏内になると、受信圏内になったことを遠隔報知部１１で使用者に報知することも実施の形態１と同じであるので説明は省略する。
更に、鍋が高温の異常温度になると、火力を減少したり加熱を停止すること、揚げ物調理時に使用者が機器本体から離れた際に加熱を停止することなどの安全機能についても、実施の形態１と同じであるので説明は省略する。
【００４１】
実施の形態３．
次に実施の形態３におけるこの発明の加熱調理器について図３により説明する。遠隔操作体２を持った使用者が機器本体１から離れ、受信圏外となったことを報知する判定方法は、実施の形態１では信号の受信強度レベルが１よりも弱い場合に受信圏外と報知していたが、実施の形態３は受信圏外を確実に判定するようにしたものである。
遠隔操作体２を持った使用者は動いている事もあり、また、周囲の状況も変化するため、信号強度レベル検知部１３ａ、１３ｂが検出する信号の受信強度レベルは断続的に受信圏外レベルになる場合がある。そのため、使用者が機器本体１から離れ本当に受信圏外になる以外に機器の加熱が停止されてしまう可能性がある。実施の形態３の発明はこのような状態を防止するようにしたものである。
【００４２】
図３は実施の形態３における受信圏外の判定方法を説明するための図で、横軸に時間、縦軸に信号強度レベルを示しており、信号強度レベルは時間によって刻々と変化している。この実施の形態３では、信号の受信強度レベルが所定の閾値以下、例えば受信強度レベルが１よりも弱い場合の状態があらかじめ定められた所定時間Ｔａ続くと受信圏外と判断するようにしている。このようにして受信圏外であることを判定すると、むやみに加熱が停止されてしまうことを防ぐことができる。
その他の点は実施の形態１、２と同様なので説明を省略する。
【００４３】
実施の形態４．
次に実施の形態４におけるこの発明の加熱調理器について図４により説明する。実施の形態４は受信圏外を判定する他の例を示すもので、図４に示すように信号の受信強度レベルが所定の閾値以下、例えば受信強度レベルが１よりも弱い場合の状態が、あらかじめ定められた所定時間Ｔｂの間に所定の回数（２よりも大きい数）以上発生すると、受信圏外と判断するようにしている。このようにして受信圏外であることを判定すると、むやみに加熱が停止されてしまうことを防ぐことができる。
その他の点は実施の形態１、２と同様なので説明を省略する。
【図面の簡単な説明】
【００４４】
【図１】この発明の実施の形態１および実施の形態２における加熱調理器の全体構成図である。
【図２】図１に示す遠隔操作体の正面図である。
【図３】この発明の実施の形態３における圏外報知を判定する方法を説明する図である。
【図４】この発明の実施の形態４における圏外報知を判定する他の方法を説明する図である。
【符号の説明】
【００４５】
１：機器本体、                          ２：遠隔操作体、
３：加熱部、                            ４：本体制御部、
５：本体送受信部、                      ６：操作部
７：表示部、                            ８：操作体送受信部
９：遠隔操作部、                      １０：操作体制御部、
１１：遠隔報知部、                      １１Ａ：液晶表示部、
１１Ｂ：音声報知部                      １２：電池
１３ａ、１３ｂ：信号レベル検知部、      ９１〜９４：遠隔操作ボタン、
【図１】
0004902492.tif 000003
【図２】
0004902492.tif 000004
【図３】
0004902492.tif 000005
【図４】
0004902492.tif 000006